(57)【特許請求の範囲】
【請求項１】
演奏所で入力されるプログラム信号に基づいて、少なくとも１箇所の放送所からＢＳＴ−ＯＦＤＭ信号の変調波で放送を行うＢＳＴ−ＯＦＤＭ信号生成・分配装置において、
前記ＢＳＴ−ＯＦＤＭ信号を生成する信号処理部を、逆ＦＦＴ処理以降の信号処理部Ｂとそれ以前の信号処理部Ａとに切り分け、該信号処理部Ａを前記演奏所に、前記信号処理部Ｂを前記放送所に設置するようにしたことを特徴とするＢＳＴ−ＯＦＤＭ信号生成・分配装置。
【請求項２】
請求項１記載のＢＳＴ−ＯＦＤＭ信号生成・分配装置において、
前記信号処理部Ａからの出力信号は、シンボル毎、キャリア毎のＩ軸、Ｑ軸ぞれぞれ複素振幅値を表す信号データが、複素平面上の信号点の位置に対応した符号に変換された符号化信号であることを特徴するＢＳＴ−ＯＦＤＭ信号生成・分配装置。
【請求項３】
請求項１または２記載のＢＳＴ−ＯＦＤＭ信号生成・分配装置において、
前記信号処理部Ａからの符号化出力信号のビットレート、キャリアレートまたはシンボルレートと前記放送所に送信する際のデジタル変調波のシンボルレートとの比を整数比にし、前記放送所においては、ＰＬＬ回路を使用することで再生シンボルロック信号からビットクロック信号、逆ＦＦＴクロック信号およびシンボルクロック信号を生成するようにしたことを特徴とするＢＳＴ−ＯＦＤＭ信号生成・分配装置。
【発明の詳細な説明】
【０００１】
【発明の属する技術分野】
本発明は、地上デジタル放送の暫定方式であるＢＳＴ−ＯＦＤＭ（Ｂａｎｄ  Ｓｅｇｍｅｎｔｅｄ  Ｔｒａｎｓｍｉｓｓｉｏｎ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号の生成装置、および基幹放送所や準基幹放送所への分配、配信装置に係り、特に、放送所に設置する信号処理部の規模を小さくし、放送ネットワークにおける放送所の数が多い場合でも、装置コストを押さえることを可能にするとともに、ＳＦＮ（単一周波数ネットワーク）を構築するときに必要となる各放送所間でのフレーム同期、シンボル同期を容易に確立することのできるＢＳＴ−ＯＦＤＭ信号生成・分配装置に関する。
【０００２】
【従来の技術】
従来、ＢＳＴ−ＯＦＤＭ信号を生成し、各放送所から放送する場合、以下のように２つの方法が考えられる。
１）図１２に示すように、演奏所からＭＰＥＧ−ＴＳ（トランスポートストリーム）信号を有線回線またはマイクロ波回線などで各放送所までデジタル伝送し、各放送所では、放送所に設置したＢＳＴ−ＯＦＤＭ信号生成装置によってアナログＩＦ信号を生成し、送信周波数に周波数変換した後、電力増幅して送信アンテナに供給する。
２）図１３に示すように、演奏所にＢＥＳＴ−ＯＦＤＭ信号生成装置を設置し、出力されるアナログＩＦ信号を有線回線またはマイクロ回線などで各放送所までアナログ伝送し、各放送所では、その受信したアナログＩＦ信号を送信周波数に周波数変換した後、電力増幅して送信アンテナに供給する。
なお、図１２、１３においては、ＢＳＴ−ＯＦＤＭ信号生成装置を二重枠のブロックで示し、両者の違いを明確にした。
【０００３】
【発明が解決しようとする課題】
しかし、これらの方法には以下のような問題点がある。
まず、１）の方法では、地理的に離れた複数の放送所を用いて、放送ネットワークを構成する場合、各放送所毎に別々のＢＳＴ−ＯＦＤＭ信号生成装置を設置する必要があり、そのため放送所の数が増えるとコストが大きくなってしまう。また、各放送所にＭＰＥＧ−ＴＳ信号をデジタル伝送で分配するため、放送所から放送される電波の品質を高くすることができる反面、各放送所でＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）などの制御信号を付加するため、編成情報などを、別の伝送手段で各放送所に伝送する必要がある。また、各放送所間でＳＦＮを構成する場合には、各放送所から放送されるＢＳＴ−ＯＦＤＭ信号のフレームタイミング、シンボルタイミングおよび送信周波数を一致させる必要があり、そのために各放送所に設置するＢＳＴ−ＯＦＤＭ信号生成装置の動作プロセスの完全な同一化、および共通な参照信号の分配が必要となるなど、技術的制約が多い。
【０００４】
次に、２）の方法では、ＢＳＴ−ＯＦＤＭ信号生成装置は演奏所に１台設置すればよく、すでに、変調波となったＢＳＴ−ＯＦＤＭ信号を各放送所に分配するため、フレームタイミング、シンボルタイミングなどは各放送所で自動的に同一となる。また、ＴＭＣＣ信号を作成するために、各放送所へ編成情報を伝送する必要もない。しかし、変調波となったＢＳＴ−ＯＦＤＭ信号をアナログ伝送で各放所に分配する場合には、分配系での雑音や歪みによる劣化を小さく抑えるために、受信増幅器や電力増幅器等に高い性能が要求され、伝送装置が高価なものになる。仮に、変調波となったＢＳＴ−ＯＦＤＭ信号をデジタル伝送しようとすると、高いビットレートが必要で、マイクロ波回線で送る場合には、広い伝送帯域幅を必要とし、有線系では、設備コストや回線借用のための費用が問題となる。
【０００５】
本発明の目的は、放送所から放送される電波の質を低下させることなく放送ネットワーク全体での装置の規模を小さくし、かつ、ＳＦＮを構築するときに必要となる各放送所間でのフレーム同期、シンボル同期を容易に確立することのできるＢＳＴ−ＯＦＤＭ信号生成・分配装置を提供することにある。
【０００６】
【課題を解決するための手段】
上記目的を達成するために、本発明ＢＳＴ−ＯＦＤＭ信号生成・分配装置は、演奏所で入力されるプログラム信号に基づいて、少なくとも１箇所の放送所からＢＳＴ−ＯＦＤＭ信号の変調波で放送を行うＢＳＴ−ＯＦＤＭ信号生成・分配装置において、前記ＢＳＴ−ＯＦＤＭ信号を生成する信号処理部を、逆ＦＦＴ処理以降の信号処理部Ｂとそれ以前の信号処理部Ａとに切り分け、該信号処理部Ａを前記演奏所に、前記信号処理部Ｂを前記放送所に設置するようにしたことを特徴とするものである。
【０００７】
また、本発明ＢＳＴ−ＯＦＤＭ信号生成・分配装置は、前記信号処理部Ａからの出力信号が、シンボル毎、キャリア毎のＩ軸、Ｑ軸ぞれぞれ複素振幅値を表す信号データが、複素平面上の信号点の位置に対応した符号に変換された符号化信号であることを特徴するものである。
【０００８】
また、本発明ＢＳＴ−ＯＦＤＭ信号生成・分配装置は、前記信号処理部Ａからの符号化出力信号のビットレート、キャリアレートまたはシンボルレートと前記放送所に送信する際のデジタル変調波のシンボルレートとの比を整数比にし、前記放送所においては、ＰＬＬ回路を使用することで再生シンボルロック信号からビットクロック信号、逆ＦＦＴクロック信号およびシンボルクロック信号を生成するようにしたことを特徴とするものである。
【０００９】
【発明の実施の形態】
以下に添付図面を参照し、発明の実施の形態に基づいて本発明を詳細に説明する。
図１は、本発明ＢＳＴ−ＯＦＤＭ信号生成・分配装置の一実施形態をブロック図にて示している。
上述したように、本発明装置においては、ＢＳＴ−ＯＦＤＭ信号生成装置を演奏所または放送所のいずれか一方の側に設置することをしないで（従来は、いずれか一方の側に設置していた。）、ＢＳＴ−ＯＦＤＭ信号生成装置を、同装置における信号処理の中間段階である逆ＦＴＴ（ＩＦＦＴ）への入力まで、すなわち、シンボル毎、キャリア毎の複素振幅値を表す信号データを、切り分け点として、これ以前の処理を行う信号処理部Ａと、ＩＦＦＴ以降、アナログＩＦ形式のＢＳＴ−ＯＦＤＭ信号を発生させるまでの処理を行う信号処理部Ｂとに分離し、前者を演奏所側に、後者を放送者側にぞれぞれ設置している。なお、図１においては、上記信号処理部Ａと信号処理Ｂとを二重枠のブロックで示している。
【００１０】
上述したように、本発明装置においては、ＢＳＴ−ＯＦＤＭ信号生成装置を、図１に示すように、ＭＰＥＧ−２信号が入力されてフレーム化処理までを行う演奏所に設置する信号処理部Ａと、ＩＦＦＴ処理からアナログＩＦ信号を得るまでの信号処理を行う放送所側に設置する信号処理部Ｂとに分離するとともに、通常のＢＳＴ−ＯＦＤＭ信号生成装置ではシンボル毎、キャリア毎のＩ軸、Ｑ軸それぞれ１６ｂｉｔ程度で表現される複素振幅値として出力されているフレーム化処理後の信号を複素平面上の信号点に対応する７ｂｉｔの符号化信号に変換し、光ファイバーなどの有線回線や、マイクロ波回線などを用いて、演奏所から各放送所にデジタル伝送で分配するようにする。
【００１１】
このようにすることで、放送所に設置する信号処理部の規模を小さくし、放送ネットワークにおける放送所の多い場合でも、装置コストを押さえることを可能にし、また、本発明では、すでにＴＭＣＣ信号が付加されフレーム化処理が終わった後の信号を伝送分配するようにしていることから、各放送所にＴＭＣＣ信号を生成するための編成情報や、フレーム同期タイミングやシンボル同期タイミングを放送所間で同一にするのに必要な基準信号の伝送が不要であり、さらに、各放送所までデジタル伝送で信号分配してるため、放送される電波の質を高く維持することができる。加えて、通常Ｉ軸、Ｑ軸それぞれ１６ｂｉｔ程度（合計３２ｂｉｔ）、例えば、１２ｂｉｔ乃至２０ｂｉｔで表現されているフレーム化処理後の信号を、複素平面上の信号点の位置に対応した７ｂｉｔの符号に変換して伝送しているため、所要伝送ビットレートが低く、多値ＱＡＭ（Ｑｕａｄｒａｔｕｒｅ  Ａｍｐｌｉｔｕｄｅ  Ｍｏｄｕｌａｔｉｏｎ）を用いることで、適切な誤り訂正符号化を施した上で、アナログＮＴＳＣ信号のＦＰＵ（Ｆｉｅｌｄ  Ｐｉｃｋｕｐ  Ｕｎｉｔ）やＳＴＬ（Ｓｔｕｄｉｏ  ｔｏ  ＴｒａｎｓｍｉｔｔｅｒＬｉｎｋ）で用いている１チャンネル当たり１７ＭＨｚ帯域幅の既存のマイクロ波回線を用いて伝送分配することができ、また、光ファイバーなどの有線回線を用いる場合には回線借用のための費用を節減することができる。
【００１２】
信号処理部Ａについて説明する。
図２は、図１中の演奏所に設置された信号処理部Ａの一例の構成をブロック図にて示している。
図２において、ＭＰＥＧ−２形式で、圧縮、多重された映像、音声信号（ＭＰＥＧ−ＴＳ信号）は、信号処理部Ａに入力され、まず、ＴＳ再多重部１で、ヌルＴＳパケットが付加されて、フレーム化された一定のレートの信号に変換された後、外符号２として、バイト訂正ブロック符号であるリードソロモン符号化ＲＳ（２０４，１８８）処理が行われる。外符号化処理後、編成情報などにしたがって、データを各階層に分割３する。階層は最大３階層までである。階相分割されたバイト単位のデータは各階層別にビットシリアル形式の信号に変換４され、ＰＮ符号によりエネルギー拡散５を施された後、各階層間で遅延を一致させるための遅延補正処理６がなされる。遅延補正後のバイト単位に変換７された信号データはバイトインターリーブ８され、再び、ビットシリアル形式の信号に変換９された後、内符号である畳み込み符号化１０が行われ、ビットシリアル形式の信号データは、ビットインターリーブ処理後１１後、符号化マッピング１２され、複素平面上の信号点に割り振られる。ここで、従来技術では、マッピング処理後の信号はＩ軸、Ｑ軸それぞれ１６ビット程度の準アナログ的なデータに変換されて、後段の処理回路に送られていた。
【００１３】
これに対し、本発明では、マッピング処理後の信号はＩ軸、Ｑ軸それぞれについて、従来のように１６ビット程度の準アナログ的なデータに変換するのでなく、複素平面上の信号点に対応する番号に変換（符号化）して、後段の処理回路へ入力する。本発明では、この処理を符号化マッピッング処理（図２において、２重枠で示す）と称している。ＢＳＴ−ＯＦＤＭ信号では、変調形式として、６４ＱＡＭ，１６ＱＡＭ，ＱＰＳＫ，π／４シフトＤＱＰＳＫが選択できるように規定されている。したがって、６４点（６４ＱＡＭ（図３参照））＋１６点（１６ＱＡＭ（図４参照））＋４点（ＱＰＳＫ（図５参照））＋８点（π／４シフトＤＱＰＳＫ（図６参照））＝９２点の番号で、全ての信号点を表現することができる。さらに、後段で追加するＳＰ（Ｓｃａｔｔｅｒｅｄ  Ｐｉｌｏｔ）ＴＭＣＣ、ＡＣ（Ａｕｘｉｌｉａｒｙ  Ｃｈａｎｎｅｌ）があり、ＤＢＰＳＫ（図７参照）で、さらに、シンボル方向に一定の位相をもつ、ＣＰ（Ｃｏｎｔｉｎｕｅｓ  Ｐｉｌｏｔ）があり、これらの信号の位相点を表現するのに、２つ番号が必要であるから、合計で９４点（異なる番号で同じ信号点を表現している重複はあり得る）について番号を付加して表現することができればよく、そのために７ｂｉｔ符号化とする（図２参照）。このようにすることで、シンボル毎、キャリア毎に３２ｂｉｔ必要としていたデータが７ｂｉｔで済み、以降の階層合成、時間インターリーブ、周波数インターリーブ、ＯＦＤＭフレーム構成の各処理回路の規模を大幅に削減することができる。
【００１４】
符号化マッピッングされたシンボル毎、キャリア毎の信号データは、階層合成１３されて、３つの階層のデータが１系統になり、時間インターリーブ１４、周波数インターリーブ１５の処理のよって、キャリア単位で入れ替えが行われた後、ＣＰ、ＳＰ、ＴＭＣＣ信号が付加されて、ＯＦＤＭフレームが構成１６され、信号処理部Ａから出力される。このときパイロット信号１７や、ＴＭＣＣ信号１８は、データキャリアと同様に７ｂｉｔで符号化１９された信号として付加される。
【００１５】
信号処理部Ａから出力されたデジタル信号の放送所側への伝送には、図１に示すように、マイクロ波を用いて伝送するルートと光ファイバを介して伝送するルートがあるが、ここではマイクロ波を用いて伝送する場合について説明する。
【００１６】
図８は、図１中の演奏所側のマイクロ回線用送信部と、同じく図１中の放送所側のマイクロ回線用受信部の一例の構成をブロック図にて示している。
演奏所側では、信号処理部Ａから出力され、マイクロ回線用送信部に入力されたデジタル信号は、まず、放送所側でＩＦＦＴ用タイミング信号を容易に再生可能なようにするために、総シンボル数とＩＦＦＴサンプル数との比が整数比となるようにダミーデータとＩＦＦＴ同期用データを付加２０する。その後、例えば、リードソロモン符号などを用いて誤り訂正外符号が符号化２１され、バイトインターリーブ２２が施される。バイトインターリーブ後の信号は、ビットストリームに変換２３され、ＰＮ信号付加によるエネルギー拡散２４が施される。エネルギー拡散処理後の信号は、畳込み符号などによる誤り訂正内符号が符号化２５され、さらに、ビットインターリーブ処理２６で処理される。
【００１７】
ここで、総シンボル数とＩＦＦＴサンプル数の比を整数比にして、マイクロ波回線用送信部を構成した場合について、処理ブロックの接続、および各ブロックの出力における信号の形態ａ〜ｆをそれぞれ示す図９（Ａ），（Ｂ）参照して説明する。なお、図９（Ａ）中、図８と同一処理部分については同一符号を付して示している。
【００１８】
図９においてモード１（ＩＦＦＴサンプル数２０４８、総シンボル数１４０５）の場合ａを例にとり、マイクロ波回線用送信部における伝送路用信号レート（処理速度) の変換、ここでは、シンボル数をＩＦＦＴサンプル数の１１／１６とするようにＩＦＦＴ同期用データとダミーデータで合計３個のデータを付加し、総シンボル数１４０８とするｂとともに、信号レートを１１／１６に変換し、さらに、後段の誤り訂正内符号（リードソロモン符号）に整合させるために７ビットのシンボルに１ビットの冗長ビットを加え８ビットのシンボルに変換ｃしている。
【００１９】
その後、１４０８シンボルを８個の１７６シンボルのグループに分割し、ＲＳ（１９２，１７６）の符号化ｄを行い、バイト・ビット変換ｅした後、誤り訂正内符号として、２／３の畳み込み符号化ｆを行っている。この例に示すような処理を行うことにより、伝送される信号レートはもとの信号処理部ＡのＩＦＦＴクロックに対し整数比になるため、放送側では受信信号から容易にＩＦＦＴクロックを再生することが可能になる。表１に各モード（モデル１，２，３）の各場合について、符号化マッピング処理によるビットレートと伝送所要ビットレートおよびそのＩＦＦＴクロックに対する比の例を示している。
【００２０】
【表１】
0003782246.tif 000002
【００２１】
次に、放送所側での差動復号を可能にするための差動符号化２７を行い、変調多値数に応じたビット数単位で直列・並列変換２８を行い、複素平面上の信号点へのマッピング処理２９を施す。マッピング処理で得られるＩ軸、Ｑ軸それぞれ、１６ｂｉｔ程度の複素ベースバンド信号は、ロールオフフィルタなどにより波形整形３０がなされ、直交変調３１後、Ｄ／Ａ変換３２され、さらにＢＰＦ３３により補間処理され、アナログＩＦ信号となる。図８に示す例では、直交変復調をデジタル信号処理で行う場合を示している。得られたアナログＩＦ信号は、ＩＦ増幅３４後、周波数変換３５によってマイクロ波帯の信号に周波数変換し、送信ＲＦ増幅で所要の電力まで増幅３６した後、送信アンテナから放射する。
【００２２】
放送所側では、受信アンテナからの受信ＲＦ信号をマイクロ波受信部へ入力する。マイクロ波受信部では、まず、入力された受信ＲＦ信号を、受信ＲＦ増幅３７で増幅後、周波数変換３８してＩＦ周波数とし、ＩＦ増幅３９にて所定の信号レベルまで増幅する。得られたＩＦ信号はＢＰＦ４０で不要な信号成分が除去され、ＡＤ変換器４１でデジタルＩＦ信号となる。デジタルＩＦ信号は、直交復調４２されてＩ軸、Ｑ軸の複素ベースバンド信号となり、ロールオフフィルタなどで波形整形４３される。波形整形された、複素ベースバンド信号は、後段の等化器４４に入力されるほか、キャリア再生処理４５、クロック再生処理４６にも供される。キャリア再生処理４５では、周波数、位相誤差を検出し、発振周波数を修正して、直交復調処理４２へ帰還させる。クロック再生処理４６では複素振幅値に含まれるシンボル周波数成分を抽出し、ＰＬＬで安定化して、各種タイミング信号の発生４７に用いる。
【００２３】
次に、等化器４４で、伝送歪みが除去され、デマッピング処理４８により複素平面上の信号点が特定され、対応する複数ビットのデータが生成される。このデータは並列・直列変換処理４９によってビットストリーム信号に変換され、差動復号化処理５０で差動復号化される。差動復号化後のビットストリームは、ビットデインターリーブ処理５１がなされ、さらに、ビタビ復号器などを用いて内符号誤り訂正処理５２が行われビット誤りが訂正される。誤り訂正後のビットストリームは、エネルギー逆拡散処理５３された後、ビット・バイト変換処理５４でバイト単位のデータ列に変換され、さらにバイトデインターリーブ処理５５がなされる。デインターリーブされた信号は、外符号誤り訂正処理５６され、バイト単位で誤り訂正が行われる。また、マイクロ波回線用送信部で挿入したＩＦＦＴ同期データを用いたＩＦＦＴ用タイミング信号を得ると同時に、ＩＦＦＴ同期データとダミーデータを除去５７した信号がマイクロ波回線用受信部から出力され以下に説明する信号処理部Ｂに送られる。これと同時に、ＩＦＦＴ用タイミング信号発生部５８で発生したタイミング信号も信号処理部Ｂに送られる。
【００２４】
放送所側におけるＢＳＴ−ＯＦＤＭ信号生成装置の信号処理部Ｂについて説明する。
図１０は、図１中の放送所側に設置された信号処理部Ｂの一例の構成をブロック図にて示している。
図１０において、前述したマイクロ波回線用受信部（図８参照）から入力されるシンボル毎、キャリア毎の７ｂｉｔ単位のデータ列（信号１）をＩ軸、Ｑ軸それぞれ１６ｂｉｔ程度の信号に変換５９し、ＩＦＦＴ処理６０して時間軸信号（信号２、信号３）に変換（図１１参照）後、Ｉ軸、Ｑ軸それぞれについてガードインターバル付加６１を行う。ガードインターバルを付加した複素ベースバンド信号は、オーバーサンプル処理６２よってＩＦＦＴ処理のクロックの４倍の周波数にサンプリング周波数を変換後、直交変調６３して、デジタルＩＦ信号にする。このデジタルＩＦ信号をＤＡ変換６４してアナログＩＦ信号に変換し、ＢＰＦ６５で補間処理を行った後に、図１に示す周波数変換、電力増幅して、例えば、ＵＨＦの電波により一般視聴者を対象に放送される。
【００２５】
【発明の効果】
本発明によれば、ＢＳＴ−ＯＦＤＭ信号の生成過程であるフレーム化処理の後、ＩＦＦＴ処理の前の信号点をインターフェースポイントとして、装置を演奏所側に設置する信号処理部Ａと放送所側に設置する信号処理部Ｂとに分離するとともに、光ファイバーなどの有線回線や、マイクロ波回線などを用いて、演奏所から各放送所にデジタル伝送で信号を分配し、信号処理部ＢでＩＦＦＴ以降の処理を行うことで、放送所に設置する信号処理部の規模を小さくし、放送ネットワークにおける放送所の数が多い場合でも、装置コストを抑えることを可能にし、また、ＳＦＮで必要となる放送所間の各種同期を同一にするのに必要な基準信号や編成情報の伝送を不要にすることができる。
【００２６】
また、本発明によれば、各放送所までデジタル伝送で信号分配するようにしたため、放送される電波の質を高く維持でき、加えてＩ軸、Ｑ軸それぞれ１６ｂｉｔ程度で表現される複素振幅値として出力されるフレーム化処理後の信号を、複素平面上の信号点に対応する７ｂｉｔの符号化信号に変換、伝送し、放送所側において、符号化された信号を、再び、Ｉ軸、Ｑ軸それぞれ１６ｂｉｔ程度の複素振幅値を表す信号に復号することで、伝送所要ビットレートが低く抑えられ、既存のアナログＮＴＳＣ信号のＦＰＵやＳＴＬで用いられている１チャンネル当たり１７ＭＨｚ帯域幅のマイクロ波回線を用いて伝送分配することができ、光ファイバーなどの有線回線を用いる場合には回線借用の費用を節減することができる。
【図面の簡単な説明】
【図１】  本発明ＢＳＴ−ＯＦＤＭ信号生成・分配装置の一実施形態をブロック図にて示している。
【図２】  図１中の演奏所に設置された信号処理部Ａの一例の構成をブロック図にて示している。
【図３】  ６４ＱＡＭの複素平面上の信号点の配置を示している。
【図４】  １６ＱＡＭの複素平面上の信号点の配置を示している。
【図５】  ＱＰＳＫの複素平面上の信号点の配置を示している。
【図６】  π／４シフトＤＱＰＳＫの複素平面上の信号点の配置を示している。
【図７】  ＤＢＰＳＫの複素平面上の信号点の配置を示している。
【図８】  図１中の演奏所側のマイクロ波回線用送信部と、同じく図１中の放送所側のマイクロ波回線用受信部の一例の構成をブロック図にて示している。
【図９】  マイクロ波回線用送信部における信号レートの変換例を示している。
【図１０】  図１中の放送所に設置された信号処理部Ｂの一例の構成をブロック図にて示している。
【図１１】  信号処理部Ｂにおけるシンボル毎、キャリア毎の変調データから複素ベースバンド信号データへの変換例を示している。
【図１２】  従来のＢＳＴ−ＯＦＤＭ信号生成・分配装置をブロック図にて示している。
【図１３】  同じく従来のＢＳＴ−ＯＦＤＭ信号生成・分配装置をブロック図にて示している。
【符号の説明】
１  ＴＳ再多重部
２  外符号化部
３  階層分割部
４  バイト・ビット変換部
５  エネルギー拡散部
６  遅延補正部
７  ビット・バイト変換部
８  バイトインターリーブ部
９  バイト・ビット変換部
１０  畳み込み符号化部
１１  ビットインターリーブ部
１２  符号化マッピング部
１３  階層合成部
１４  時間インターリーブ部
１５  周波数インターリーブ部
１６  ＯＦＤＭフレーム構成部
１７  パイロット信号生成部
１８  ＴＭＣＣ信号生成部
１９  符号化部
２０  同期／ダミーデータ付加部
２１  誤り訂正外符号符号化部
２２  バイトインターリーブ部
２３  バイト・ビット変換部
２４  エネルギー拡散部
２５  誤り訂正内符号符号化部
２６  ビットインターリーブ部
２７  差動符号化部
２８  直列・並列変換部
２９  マッピング部
３０  波形整形部
３１  直交変調部
３２  Ｄ／Ａ変換部
３３  ＢＰＦ
３４  ＩＦ増幅部
３５  周波数変換部
３６  ＲＦ増幅部
３７  ＲＦ増幅部
３８  周波数変換部
３９  ＩＦ増幅部
４０  ＢＰＦ
４１  Ａ／Ｄ変換部
４２  直交復調部
４３  波形整形部
４４  等化器
４５  キャリア再生部
４６  クロック再生部
４７  タイミング信号発生部
４８  デマッピング部
４９  並列・直列変化部
５０  差動復号化部
５１  ビットデインターリーブ部
５２  誤り訂正内符号訂正部
５３  エネルギー逆拡散部
５４  ビット・バイト変換部
５５  バイトデインターリーブ部
５６  誤り訂正外符号訂正部
５７  同期／ダミーデータ除去部
５８  ＩＦＦＴ用タイミング信号発生部
５９  復号処理部
６０  ＩＦＦＴ部
６１  ガードインターバル付加部
６２  オーバーサンプリング部
６３  直交変調部
６４  Ｄ／Ａ変換部
６５  ＢＰＦ
【図１】
0003782246.tif 000003
【図２】
0003782246.tif 000004
【図３】
0003782246.tif 000005
【図４】
0003782246.tif 000006
【図５】
0003782246.tif 000007
【図６】
0003782246.tif 000008
【図７】
0003782246.tif 000009
【図８】
0003782246.tif 000010
【図９】
0003782246.tif 000011
【図１０】
0003782246.tif 000012
【図１１】
0003782246.tif 000013
【図１２】
0003782246.tif 000014
【図１３】
0003782246.tif 000015